(57)【特許請求の範囲】
【請求項１】
エレベータの運転状態を表示する表示部と、前記エレベータのかごの昇降を操作する操作部とを有し、乗り場に取り外し自在に設置される表示操作装置と、少なくとも前記エレベータの点検時に使用される点検用スイッチが設けられ、前記表示操作装置の設置時に前記表示操作装置により覆われる点検用操作装置と、を有し、前記表示部には、前記点検用スイッチに関する表示を行うスイッチ表示領域が形成され、前記表示操作装置は、前記点検時に前記点検用操作装置との電気的な接続が解除され、前記乗り場から取り外され、前記点検終了時に前記点検用操作装置と電気的に接続され、前記乗り場に取り付けられ、前記点検用操作装置は、前記表示操作装置と電気的な接続を切り替え可能に接続されており、前記表示部の表示制御を行い、前記点検時に前記表示操作装置との電気的な接続が解除され、前記点検終了時に前記表示操作装置と電気的に接続され、前記点検時に使用された前記点検用スイッチが復帰されていない場合に、前記スイッチ表示領域に前記点検用スイッチに関する表示を行わせるエレベータの表示システム。
【請求項２】
請求項１に記載のエレベータの表示システムにおいて、前記表示操作装置と前記点検用操作装置は、着脱自在のコネクタを介して電気的に接続されているエレベータの表示システム。
【請求項３】
請求項１または２に記載のエレベータの表示システムにおいて、前記点検用スイッチは、前記エレベータが故障したことを外部装置に発信することを無効とするＦＤＳスイッチであるエレベータの表示システム。
【請求項４】
請求項１〜３のいずれか１つに記載のエレベータの表示システムにおいて、前記点検用スイッチは、前記点検用操作装置に外部機器を接続した際に、前記外部機器による前記エレベータの制御を許可するＯＰＴスイッチであるエレベータの表示システム。
【発明の詳細な説明】
【技術分野】
【０００１】
本発明の実施形態は、エレベータの表示システムに関する。
【背景技術】
【０００２】
エレベータ、例えば機械室が設けられていないエレベータでは、点検時に乗り場からエレベータ制御盤を操作することが要望されている。そこで、従来、昇降路のうち、かごが着床する着床階の乗り場と対向する位置に点検操作盤が設置されている。一方、最上階の乗り場には、かごの呼び登録を行う呼び釦、エレベータの現在位置などを表示する表示パネルなどを有する表示操作盤が乗り場に露出して設置されている。表示操作盤は、乗り場に取り外し自在に設置されており、乗り場への設置時に点検操作盤を覆う。つまり、通常時、点検操作盤は、表示操作盤が目隠しとなって、乗り場から操作することができないようになっている。
【先行技術文献】
【特許文献】
【０００３】
【特許文献１】特開２００１−３４１９５５号公報
【発明の概要】
【発明が解決しようとする課題】
【０００４】
エレベータの点検時においては、点検操作盤の操作が必要となるため、作業員は表示操作盤を取り外し、点検操作盤の操作を行う。作業員は、点検操作盤に設けられた点検用スイッチ、例えば、通常運転時に使用される機能を制限するためのスイッチや、点検時に使用される機能の使用を許可するためのスイッチなどを操作して点検を行い、使用した点検用スイッチを点検前の状態に戻す、すなわち使用した点検用スイッチを復帰させて、再び点検操作盤に対して表示操作盤を取り付けて点検を終了する。
【０００５】
本発明は、上記に鑑みてなされたものであって、点検用スイッチを復帰し忘れて点検を終了することを抑制することができるエレベータの表示システムを提供することを目的とする。
【課題を解決するための手段】
【０００６】
実施形態のエレベータの表示システムは、表示操作装置と、点検用操作装置とを有する。表示操作装置は、表示部と、操作部とを有し、乗り場に取り外し自在に設置される。表示部は、エレベータの運転状態を表示する。操作部は、エレベータのかごの昇降を操作する。点検用操作装置は、少なくともエレベータの点検時に使用される点検用スイッチが設けられ、表示操作装置の設置時に表示操作装置により覆われる。表示部には、点検用スイッチに関する表示を行うスイッチ表示領域が形成される。前記表示操作装置は、前記点検時に前記点検用操作装置との電気的な接続が解除され、前記乗り場から取り外される。前記表示操作装置は、前記点検終了時に前記点検用操作装置と電気的に接続され、前記乗り場に取り付けられる。点検用操作装置は、表示操作装置と電気的な接続を切り替え可能に接続されており、表示部の表示制御を行う。点検用操作装置は、前記点検時に前記表示操作装置との電気的な接続が解除される。点検用操作装置は、前記点検終了時に前記表示操作装置と電気的に接続され、点検時に使用された点検用スイッチが復帰されていない場合に、スイッチ表示領域に点検用スイッチに関する表示を行わせる。
【図面の簡単な説明】
【０００７】
【図１】図１は、実施形態に係るエレベータの表示システムが設置された乗り場を示す図である。
【図２】図２は、点検時における乗り場を示す図である。
【図３】図３は、実施形態に係るエレベータの表示システムの構成例を示す図である。
【図４】図４は、実施形態に係るエレベータの表示システムを用いた点検フローを示す図である。
【図５】図５は、実施形態に係るエレベータの表示システムの動作フローを示す図である。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。
【０００９】
〔実施形態〕
図１は、実施形態に係るエレベータの表示システムが設置された乗り場を示す図である。図２は、点検時における乗り場を示す図である。図３は、実施形態に係るエレベータの表示システムの構成例を示す図である。図３に示すように、実施形態のエレベータＥの表示システム１は、表示操作パネル２と、点検用操作盤３とを含んで構成されている。なお、本実施形態における表示システム１は、図１に示すように、かご１００が着床可能な階のうち、最上階の乗り場２００に設置されている場合について説明するが、他の階、例えば基準階の乗り場に設置されていてもよい。ここで、エレベータＥは、いわゆるマシンレスのエレベータであり、図示しない昇降路内に、かご１００を含むすべての機器が配置されており、エレベータ制御盤３００により図示しない巻上機の駆動制御が行われ、図示しないメインロープを介してかご１００の昇降が行われる。
【００１０】
表示操作パネル２は、表示操作装置であり、図１に示すように、乗り場２００に設定されている。ここで、表示操作パネル２は、三方枠２０１に設置、本実施形態では、三方枠２０１に囲まれ、かご１００の図示しないかご側ドアと連動して開閉する乗り場側ドア２０２を正面として右側に設けられている。表示操作パネル２は、後述する接続配線５を介して点検用操作盤３と電気的に接続されており、さらに点検用操作盤３を介してエレベータ制御盤３００と電気的に接続されている。表示操作パネル２は、表示部２１と操作部２２とを含んで構成されている。表示操作パネル２は、点検用操作盤３を覆うことができる平板状に形成され、三方枠２０１により形成される壁面と同一面に、あるいは壁面に対して突出して形成されている。表示操作パネル２の鉛直方向における両端部には、固定ネジ４１、４２が挿入される挿入孔２ａ，２ｂが形成されている。また、表示操作パネル２は、挿入孔２ａ，２ｂをそれぞれ覆う化粧カバー２３，２４が上記両端部に対して着脱自在に取り付けられている。
【００１１】
表示部２１は、エレベータＥの利用者に対してエレベータＥの運転状態を表示するものである。表示部２１は、例えば、複数のＬＥＤ（Light  Emitting  Diode）などの発光素子で形成されるディスプレイ、または液晶ディスプレイ等が用いられる。表示部２１は、点検用操作盤３を介して、エレベータ制御盤３００からの運転状態信号に基づいて例えば、かご１００の現在階を示す数字、かご１００の昇降方向を示す矢印などを表示する。なお、表示部２１は、例えば、オレンジや赤などの視認性の高い色を発光して表示を行う。本実施形態における表示部２１は、点検用スイッチであるＦＤＳスイッチ３２、ＯＰＴスイッチ３３に関する表示を行うスイッチ表示領域２１ａが形成されている。スイッチ表示領域２１ａは、図３に示すように、後述するスイッチ表示信号に基づいて点灯（点滅も含む）することで作業員が「ＦＤＳ」と視認できるＦＤＳスイッチ表示領域２１ｂと、「ＯＰＴ」と視認できるＯＰＴスイッチ表示領域２１ｃとを有している。
【００１２】
操作部２２は、エレベータＥの利用者がエレベータＥの運転を指示する、すなわち表示操作パネル２が設置された乗り場２００に対応する階にかご１００を呼ぶためのものである。本実施形態における操作部２２は、表示システム１が最上階の乗り場２００に設置されているため、下降方向の呼び登録釦である。操作部２２が操作、すなわち呼び登録釦が押下されると、エレベータ制御盤３００に最上階に対応する呼び登録がされ、かご１００が最上階に着床していない場合は、呼び登録に応じてかご１００が最上階まで上昇し、着床後、かご側ドアとともに乗り場側ドア２０２が開状態とされる。
【００１３】
点検用操作盤３は、点検用操作装置であり、エレベータＥの点検時に、エレベータＥを運転、特に、かご１００を昇降させるものである。点検用操作盤３は、例えば、かご１００の昇降を制御する図示しない昇降スイッチとともに、少なくともエレベータＥの点検時に使用される点検用スイッチが設けられている。点検用スイッチとしては、ＩＮＳスイッチ３１、ＦＤＳスイッチ３２、ＯＰＴスイッチ３３などがあり、本実施形態では、ＦＤＳスイッチ３２あるいはＯＰＴスイッチ３３の少なくともいずれかが復帰されていないと、スイッチ表示領域２１ａに復帰されていないことを表示する。
【００１４】
ＩＮＳスイッチ３１は、エレベータＥの運転モードを点検運転モードに切り替えるスイッチである。ＩＮＳスイッチ３１は、オン、すなわち使用されると通常の運転モードから点検運転モードに切り替わり、カット、すなわち復帰されると点検運転モードが通常の運転モードに切り替わる。ここで、点検運転モードとは、各乗り場に設けられた表示操作パネルからの呼び登録や、かご１００内の図示しないかご操作盤からの行先階登録などを無効とし、利用者の登録をエレベータ制御盤３００が受け付けないモードである。つまり、ＩＮＳスイッチ３１は、点検時以外はカットされている。
【００１５】
ＦＤＳスイッチ３２は、エレベータＥが故障したことを図示しない外部装置、例えば、エレベータＥが設置された建築物内部の監視室に設置された監視盤や警報盤、建築物外部の管理センターに設置された管理装置などに発信することを無効とするスイッチである。ＦＤＳスイッチ３２は、カット、すなわち使用されると発信することが有効から無効に切り替わり、オン、すなわち復帰されると発信することが無効から有効に切り替わる。つまり、ＦＤＳスイッチ３２は、点検時以外はオンされている。
【００１６】
ＯＰＴスイッチ３３は、点検用操作盤３に外部機器、例えばコンソール６を接続した際に、コンソール６によるエレベータＥの制御を許可するスイッチである。ＯＰＴスイッチ３３は、オン、すなわち使用されると点検用操作盤３に電気的に接続されたコンソール６によるエレベータＥの制御が禁止から許可に切り替わり、カット、すなわち復帰されるとコンソール６によるエレベータＥの制御が許可から禁止に切り替わる。つまり、ＯＰＴスイッチ３３は、点検時以外はカットされている。
【００１７】
点検用操作盤３は、信号線５１や電力線５２などの接続配線５により表示操作パネル２と電気的に接続されており、表示部２１の表示制御を行う。点検用操作盤３は、エレベータ制御盤３００からの運転状態信号に基づいて表示部２１に表示を行わせる。また、点検用操作盤３は、ＦＤＳスイッチ３２の状態、すなわち使用されたＦＤＳスイッチ３２が復帰してない状態であると、ＦＤＳスイッチ表示領域２１ｂを表示させるスイッチ表示信号を表示操作パネル２に出力する。また、点検用操作盤３は、ＯＰＴスイッチ３３の状態、すなわち使用されたＯＰＴスイッチ３３が復帰してない状態であると、ＯＰＴスイッチ表示領域２１ｃを表示させるスイッチ表示信号を表示操作パネル２に出力する。ここで、接続配線５の各線５１，５２には、着脱自在のコネクタ５３，５４がそれぞれ設けられている。コネクタ５３，５４は、図示しないオス側コネクタと、メス側コネクタとにより構成されており、両コネクタの接合、離脱により、表示操作パネル２と点検用操作盤３との電気的な接続を切り替える。
【００１８】
点検用操作盤３は、図２に示すように、三方枠２０１のうち、表示操作パネル２が設置される位置と同じ位置に形成された図示しない収容部に収容され、収容部に固定されている。点検用操作盤３は、鉛直方向における両端部に固定ネジ４１、４２が螺合される取付孔３ａ，３ｂが形成されている。つまり、表示操作パネル２は、固定ネジ４１，４２が挿入孔２ａ，２ｂにそれぞれ挿入された状態で、取付孔３ａ，３ｂにそれぞれ螺合することで、点検用操作盤３を覆った状態で、点検用操作盤３に固定される。ここで、点検用操作盤３の表示操作パネル２側には、上記スイッチの誤操作を抑制する図示しない保護カバーが設けられていてよい。保護カバーは、点検用操作盤３に対して施錠機構により係止されており、図示しない解除キーを用いて施錠機構による係止が解除されることで、点検用操作盤３から取り外すことができる。保護カバーが点検用操作盤３に係止されると、点検用操作盤３に設けられたスイッチが保護カバーにより覆われ、作業員がスイッチを操作することができなくなる。
【００１９】
次に、本実施形態に係るエレベータＥの表示システム１を用いた点検方法について説明する。図４は、実施形態に係るエレベータの表示システムを用いた点検フローを示す図である。図５は、実施形態に係るエレベータの表示システムの動作フローを示す図である。
【００２０】
まず、作業員は、図４に示すように、最上階の乗り場２００に向かい、表示操作パネル２を取り外す（ステップＳＴ１０１）。作業員は、化粧カバー２３，２４を取り外し、固定ネジ４１，４２を取り外し、点検用操作盤３に固定されていた表示操作パネル２を取り外す。このとき、コネクタ５３，５４を離脱させて、電気的な接続も解除する。これにより、作業員は、図２に示すように、点検用操作盤３を操作しやすいように、点検用操作盤３が乗り場２００に露出した状態とする。なお、保護カバーが設けられている場合は、保護カバーを解除キーにより取り外すことで、点検用操作盤３が乗り場２００に露出した状態となる。
【００２１】
次に、作業員は、図４に示すように、ＩＮＳスイッチ３１をオンとする（ステップＳＴ１０２）。作業員は、ＩＮＳスイッチ３１により、エレベータＥの運転モードを点検運転モードとする。
【００２２】
次に、作業員は、ＦＤＳスイッチ３２をカットする（ステップＳＴ１０３）。作業員は、ＦＤＳスイッチ３２により、エレベータＥが故障したことを外部装置に発信することを無効とする。
【００２３】
次に、作業員は、作業を開始する（ステップＳＴ１０４）。作業員は、予め設定されている点検手順および点検項目に従って、エレベータＥの点検作業を開始する。例えば、点検用操作盤３の昇降スイッチを操作することで、かご１００を最上階近傍、すなわち作業員がかご１００の上部に乗り込める位置まで移動させ、乗り場側ドア２０２を開状態として、かご１００の上部に乗り込んで、点検作業を行う。
【００２４】
ここで、作業員は、コンソール６を使用するか否かを判断する（ステップＳＴ１０５）。作業員は、点検手順および点検項目に応じて、コンソール６の使用が必要か否かを判断する。
【００２５】
次に、作業員は、コンソール６を使用すると判断する（ステップＳＴ１０５：Ｙｅｓ）と、ＯＰＴスイッチ３３をオンとする（ステップＳＴ１０６）。作業員は、ＯＴＰスイッチ３３により、コンソール６によるエレベータＥの制御を許可する。これにより、作業員は、コンソール６を点検用操作盤３と接続することで、コンソール６を使用してエレベータＥを制御することができる。なお、作業員は、コンソール６が不要と判断する（ステップＳＴ１０５：Ｎｏ）と、コンソール６を使用せず、点検作業を終了するまで行う。
【００２６】
次に、作業員は、コンソール６の使用が終了する（ステップＳＴ１０７）と、ＯＰＴスイッチ３３をカットする（ステップＳＴ１０８）。作業員は、コンソール６の使用が終了すれば、コンソール６によるエレベータＥの制御が不要となるので、元の状態に復帰、すなわちＯＰＴスイッチ３３の復帰により、コンソール６によるエレベータＥの制御を禁止する。
【００２７】
次に、作業員は、作業を終了する（ステップＳＴ１０９）と、ＦＤＳスイッチ３２をオンする（ステップＳＴ１１０）。作業員は、点検作業が終了すれば、エレベータ制御盤３００により、エレベータＥが故障したと判定されるような状態とはならず、不具合が生じないので、元の状態に復帰、すなわちＦＤＳスイッチ３２の復帰により、エレベータＥが故障したことを外部装置に発信することを有効とする。
【００２８】
次に、作業員は、ＩＮＳスイッチ３１をカットする（ステップＳＴ１１１）。作業員は、点検作業が終了したので、ＩＮＳスイッチ３１の復帰により、エレベータＥの運転モードを通常の運転モードとする。
【００２９】
次に、ＦＤＳスイッチ３２、ＯＰＴスイッチ３３を確認する（ステップＳＴ１１２）。作業員は、ＦＤＳスイッチ３２がオンされ、ＯＰＴスイッチ３３がカットされていることを目視で確認する。
【００３０】
次に、作業員は、表示操作パネル２を点検用操作盤３と電気的に接続する（ステップＳＴ１１３）。作業員は、コネクタ５３，５４を接合させて、電気的な接続が解除されていた表示操作パネル２と点検用操作盤３とを電気的に接続する。なお、保護カバーが設けられている場合は、保護カバーを点検用操作盤３に対して施錠機構により係止した後、保護カバーに設けられた穴を介してコネクタ５３，５４を接合させて、表示操作パネル２と点検用操作盤３とを電気的に接続する。
【００３１】
ここで、実施形態に係るエレベータＥの表示システム１の動作について説明する。まず、点検用操作盤３は、ＦＤＳスイッチ３２がオンされているか否かを判定する（ステップＳＴ２０１）。
【００３２】
次に、点検用操作盤３は、ＦＤＳスイッチ３２がカットされていると判定する（ステップＳＴ２０１：Ｎｏ）と、ＦＤＳスイッチ表示信号を出力する（ステップＳＴ２０２）。点検用操作盤３は、作業員によりカットされたＦＤＳスイッチ３２が復帰されていない場合は、表示操作パネル２に向けてＦＤＳスイッチ表示信号を出力する。なお、点検用操作盤３は、ＦＤＳスイッチ３２がオンされていると判定する（ステップＳＴ２０１：Ｙｅｓ）と、ＦＤＳスイッチ表示信号を出力しない。
【００３３】
次に、点検用操作盤３は、ＯＰＴスイッチ３３がカットされているか否かを判定する（ステップＳＴ２０３）。
【００３４】
次に、点検用操作盤３は、ＯＰＴスイッチ３３がオンされていると判定する（ステップＳＴ２０３：Ｎｏ）と、ＯＰＴスイッチ表示信号を出力する（ステップＳＴ２０４）。点検用操作盤３は、作業員によりオンされたＯＰＴスイッチ３３が復帰されていない場合は、表示操作パネル２に向けてＯＰＴスイッチ表示信号を出力する。なお、点検用操作盤３は、ＯＰＴスイッチ３３がカットされていると判定する（ステップＳＴ２０３：Ｙｅｓ）と、ＯＰＴスイッチ表示信号を出力しない。
【００３５】
次に、表示操作パネル２は、点検用操作盤３と電気的に接続されると（ステップＳＴ２０５：Ｙｅｓ）と、スイッチ表示信号に基づいた表示を行う（ステップＳＴ２０６）。表示操作パネル２は、点検用操作盤３からＦＤＳスイッチ表示信号およびＯＰＴスイッチ表示信号が出力されていなければＦＤＳスイッチ表示領域２１ｂおよびＯＰＴスイッチ表示領域２１ｃを点灯せず、点検用操作盤３からＦＤＳスイッチ表示信号のみが出力されていればＦＤＳスイッチ表示領域２１ｂのみを点灯し、点検用操作盤３からＯＰＴスイッチ表示信号のみが出力されていればＯＰＴスイッチ表示領域２１ｃのみを点灯する。
【００３６】
次に、作業員は、図４に示すように、表示操作パネル２の表示を確認する（ステップＳＴ１１４）。作業員は、実施形態に係るエレベータＥの表示システム１の動作に基づいたＦＤＳスイッチ表示領域２１ｂおよびＯＰＴスイッチ表示領域２１ｃの状態、すなわちＦＤＳスイッチ表示領域２１ｂあるいはＯＰＴスイッチ表示領域２１ｃが点灯しているか否かを判断する。
【００３７】
次に、作業員は、ＦＤＳスイッチ表示領域２１ｂおよびＯＰＴスイッチ表示領域２１ｃが点灯していないと判断する（ステップＳＴ１１４：Ｙｅｓ）と、表示操作パネル２を取り付け（ステップＳＴ１１５）、点検を終了する（ステップＳＴ１１６）。作業員は、固定ネジ４１，４２により、表示操作パネル２を点検用操作盤３に固定し、表示操作パネル２に化粧カバー２３，２４を取り付けて、点検を終了する。
【００３８】
また、作業員は、ＦＤＳスイッチ表示領域２１ｂあるいはＯＰＴスイッチ表示領域２１ｃが点灯していると判断する（ステップＳＴ１１４：Ｎｏ）と、再度、ＦＤＳスイッチ３２、ＯＰＴスイッチ３３を確認する（ステップＳＴ１１２）。作業員は、ＦＤＳスイッチ表示領域２１ｂが点灯している場合は、ＦＤＳスイッチがオンとなっているかを確認し、カットされているままであれば、オンとする。これにより、点検用操作盤３は、ＦＤＳスイッチ表示領域２１ｂを消灯する。また、作業員は、ＯＰＴスイッチ表示領域２１ｃが点灯している場合は、ＯＰＴスイッチがカットされているかを確認し、オンされているままであれば、カットとする。これにより、点検用操作盤３は、ＯＰＴスイッチ表示領域２１ｃを消灯する。
【００３９】
以上のように、本実施形態に係るエレベータＥの表示システム１は、点検時に使用された点検用スイッチであるＦＤＳスイッチ３２あるいはＯＰＴスイッチ３３のいずれかが復帰されていない場合に、スイッチ表示領域２１ａのＦＤＳスイッチ表示領域２１ｂを点灯、ＯＰＴスイッチ表示領域２１ｃを点灯することで、点検用スイッチに関する表示を行わせる。従って、点検用操作盤３が表示操作パネル２に覆われて、ＦＤＳスイッチ３２およびＯＰＴスイッチ３３の目視ができなくても、ＦＤＳスイッチ３２およびＯＰＴスイッチ３３の状態をスイッチ表示領域２１ａで確認することができるので、ＦＤＳスイッチ３２およびＯＰＴスイッチ３３を復帰し忘れて点検を終了することを抑制することができる。これにより、ＦＤＳスイッチ３２およびＯＰＴスイッチ３３を復帰し忘れて点検を終了し、エレベータＥが設置された建築物から離れた後に、ＦＤＳスイッチ３２およびＯＰＴスイッチ３３の復帰し忘れに気がつき、再度、エレベータＥに出向く手間を抑制することができる。また、ＦＤＳスイッチ３２の復帰し忘れを抑制できる場合には、エレベータが故障したことを外部装置が検出することができなくなることを抑制するので、外部装置によるエレベータＥの状態に関するデータを取得することができなくなることを抑制することができる。
【００４０】
また、本実施形態では、点検用操作盤３が表示操作パネル２に固定される前に、表示操作パネル２が点検用操作盤３とコネクタ５３，５４により電気的に接続され、ＦＤＳスイッチ３２およびＯＰＴスイッチ３３の状態を表示する。従って、上記保護カバーによりＦＤＳスイッチ３２およびＯＰＴスイッチ３３の目視ができなくても、ＦＤＳスイッチ３２およびＯＰＴスイッチ３３の復帰し忘れを確認でき、復帰し忘れの場合に、保護カバーを取り外すだけでＦＤＳスイッチ３２およびＯＰＴスイッチ３３を復帰することができる。これにより、表示操作パネル２を点検用操作盤３から取り外し、再び点検用操作盤３に固定する手間が省けるので、ＦＤＳスイッチ３２およびＯＰＴスイッチ３３を復帰し忘れた際における点検作業の時間を短縮することができる。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１  表示システム、２  表示操作パネル、２１  表示部、２１ａ  スイッチ表示領域、２１ｂ  ＦＤＳスイッチ表示領域、２１ｃ  ＯＰＴスイッチ表示領域、３  点検用操作盤、３１  ＩＮＳスイッチ、３２  ＦＤＳスイッチ、３３  ＯＰＴスイッチ、４１，４２  固定ネジ、５  接続配線、５３，５４  コネクタ、６  コンソール、１００  かご、２００  乗り場、２０１  三方枠、２０２  乗り場側ドア、３００  エレベータ制御盤、Ｅ  エレベータ
【図１】
0005847223.tif 000002
【図２】
0005847223.tif 000003
【図３】
0005847223.tif 000004
【図４】
0005847223.tif 000005
【図５】
0005847223.tif 000006